(57)【要約】【課題】  発光管から発せられる光を凹面反射鏡によって反射して出射する光源装置において、凹面反射鏡等を保持する基材部を画像表示装置等から取り外すことなく、容易に発光管の交換ができるようにする。【解決手段】    後方側後方側保持部材８は、発光管２の一方の封止部側の電極を保持する状態と、発光管２の凹面反射鏡５に対する進入及び退出の経路より退避してこの発光管２の凹面反射鏡５に対する進入及び退出を可能とする状態との間に亘って、基材部１に対して、回動可能となっている。【選択図】      図２
2006019078.tif 000002
【特許請求の範囲】
【請求項１】
中央部に開口部を有し、基材部により保持されている凹面反射鏡と、
中央部が発光部となされ、この発光部から突出する一対の封止部の各先端部に一対の電極が設けられ、前記凹面反射鏡の開口部に挿通させた状態に設置される両端封止型の発光管と、
前記基材部に設置され、前記発光管の他方の封止部側の電極を保持し、この電極に導通される前方側保持部材と、
前記基材部に設置され、前記発光管の一方の封止部側の電極を保持し、この電極に導通される後方側保持部材と
を備え、
前記後方側保持部材は、前記基材部に対して、前記発光管の一方の封止部側の電極を保持する状態と、前記発光管の前記凹面反射鏡に対する進入及び退出の経路より退避してこの発光管の前記進入及び退出を可能とする状態との間に亘って回動可能となっている
ことを特徴とする光源装置。
【発明の詳細な説明】
【技術分野】
【０００１】
本発明は、画像表示装置等において、発光管からの光を、空間光変調素子等の所定の領域に照明するための光源装置に関し、特に、プロジェクタや映写機において用いられる大型の光源装置に関するものである。
【背景技術】
【０００２】
従来、いわゆるプロジェクタや映写機等用の画像表示装置においては、空間光変調素子を照明するための光源として、高圧キセノンガスを封入したキセノンランプ等の発光管が用いられている。
【０００３】
特許文献１には、図１４に示すように、このようなランプを用いた光源装置の構成が記載されている。この光源装置においては、ケーシング１０１内にランプ１０２が配置されている。このランプ１０２は、両端封止型のランプであり、高圧キセノンガスを封入したガラス封体１２３内に一対の放電電極１０３，１０４が対向されて配置されている。これら放電電極１０３，１０４からは、両端側の封止部に、給電用の電極１２１，１２２が引き出されている。
【０００４】
このランプ１０２の放電電極１０３，１０４間で発生した光は、直接、または、凹面反射鏡１０５によって反射され、透明ガラスからなる照射窓１０７から放射される。なお、凹面反射鏡１０５により反射された光の出射方向の周囲部には、第２の凹面反射鏡１０６が配置されており、ランプ１０２から発せられ照射窓１０７に至る光路より外れた周辺の光をランプ１０２側に戻すようになっている。
【０００５】
ランプ１０２は、各凹面反射鏡１０５，１０６に対する所定の位置に、放電電極１０３，１０４間の発光点（アークスポット）が位置するように配置されている。すなわち、このランプ１０２は、照明光の出射方向に対して後方側となる一方の封止部を、凹面反射鏡１０５の中央部分に形成された開口部１５１に挿通させており、この一方の封止部側の電極１２１を、ケーシング１０１に固定された保持部材１０８によって保持されている。
【０００６】
また、このランプ１０２の他方の封止部側の電極１２２は、照射窓１０７の近傍の位置において、ケーシング１０１に固定された保持部材１９１によって保持されている。この保持部材１９１は、ケーシング１０１に対して、可動部材１９２を介してとりつけられており、このケーシング１０１に対して移動可能となっている。
【０００７】
すなわち、ランプ１０２は、一方の封止部側の電極１２１をケーシング１０１に対して固定されて保持されており、他方の封止部側の電極１２２をケーシング１０１に対して移動可能となされて保持されている。このように、他方の封止部側の電極１２２がケーシング１０１に対して移動可能となっているのは、ケーシング１０１の熱膨張によって、ランプ１０２に応力がかからないようにするためである。すなわち、ランプ１０２の点灯中には、ケーシング１０１は高温となり、例えぱ、アルミニウムなどの金属製ケーシングは、熱膨張によって伸びてしまう。一方、ランプ１０２はガラス製であり、ケーシング１０１に比べて熱膨張率が小さい。したがって、ランプ１０２の両端側がケーシング１０１に対して固定されて保持されていると、このランプ１０２の点灯中において、ランプ１０２は、長手方向の引張り応力が発生して破損する虞れがある。他方の封止部側の電極１２２をケーシング１０１に対して移動可能としておくことにより、このような破損を防ぐことができる。
【０００８】
そして、このようなランプ１０２は、点灯を続けると、放電電極が消耗し、発光照度が低下したり、または、不灯になる場合がある。すなわち、このようなランプ１０２は、寿命があるので、定期的に交換することが必要となる。
【０００９】
この光電装置において、ランプ１０２を交換した場合には、このランプ１０２の発光点位置を、凹面反射鏡１０５に対する所定の位置に一致させる必要がある。すなわち、ランプ１０２の交換後には、このランプ１０２のＸ，Ｙ，Ｚ３軸方向の光軸調整が必要となる。このような光軸調整は、簡単に、精度良く、しかも、短時間で行えることが望ましい。
【００１０】
そして、特許文献２には、図１５に示すように、前述のような光源装置において、ランプの光軸調整を行うことができる光軸調整装置が記載されている。この光軸調整装置においては、基材部２０１に対する光学素子の保持部材２０２の位置を、Ｙ軸方向については調整ネジ２０３により、Ｘ軸方向については一対の調整ネジ２０４，２０５により行うようになっている。
【００１１】
すなわち、Ｙ軸方向については、調整ネジ２０３を回すことにより、この調整ネジ２０３が螺入された保持部材２０２は、基材部２０１に対して、この調整ネジ２０３の軸方向に進退移動される。そして、Ｘ軸方向については、一対の調整ネジ２０４，２０５を回すことにより、これら調整ネジ２０４，２０５の先端部に斜面部において当接された保持部材２０２は、基材部２０１に対して、これら調整ネジ２０３の軸に直交する方向に移動される。
【００１２】
この光軸調整装置においては、Ｙ軸方向についての調整と、Ｘ軸方向についての調整とが、同一の方向から行えるようになっている。
【特許文献１】特開２００１−３１９５０２号公報
【特許文献２】特開平１１−８４１９５号公報
【発明の開示】
【発明が解決しようとする課題】
【００１３】
ところで、前述のような光源装置においては、ランプ１０２は、両端側の電極を保持されて設置されている。そのため、ランプ１０２を交換するときには、いずれか一方の保持部材を基材部となるケーシング１０１から取り外し、ランプ交換のじゃまにならないようにする必要があった。
【００１４】
すなわち、前述の光源装置において、ランプ交換時には、まず、ケーシングのカバーを外し、次に、ランプの各電極を固定しているネジを外し、さらに、ケーシングに固定された保持部材を取り外すという作業が必要であった。そして、新たなランプを装着するときには、このランプを反射鏡の中に挿入し、次に、ケーシングから取り外した保持部材をケーシングに固定し、さらに、ランプの各電極をネジにより締め付けるという作業が必要であった。
【００１５】
さらに、前述の光源装置においては、ランプの電極がナット等で保持部材に対して固定されているので、ナットの締め付けトルクの管理が必要となる。そのため、ランプ交換には、トルクドライバー等の工具が必要であり、狭い場所で作業することが非常に困難であった。したがって、ランプ交換に際しては、ケーシングごと画像表示装置から取り外したうえで、このケーシングに対するランプ交換の作業を行う必要があった。
【００１６】
ところで、特に、大型のプロジェクタや映写機等における光源装置では、凹面反射鏡その他構成部品も大型であり、質量も数十キログラムになる。したがって、ケーシングを画像表示装置から取り外す作業は、極めて困難な作業となっている。
【００１７】
また、ランプにおいては、両端側の電極と、発光点（アークスポット）との位置関係は、必ずしも全てのランプにおいて一致しているわけではない。したがって、各ランプの持つ最高の性能を引き出すためには、発光点の位置が、高精度に凹面反射鏡に対する所定の位置にとなるように、両端側の電極の位置を最適な位置に調整する必要がある。そのためには、電極を保持する位置を、Ｘ，Ｙ，Ｚ３軸について調整することが必要になる。
【００１８】
そこで、本発明は、前述の実状に鑑みて提案されるものであって、凹面反射鏡等を保持する基材部となるケーシングを画像表示装置から取り外すことなく、容易に発光管の交換ができるようになされた光源装置を提供することを目的とする。
【課題を解決するための手段】
【００１９】
前述の課題を解決し、前記目的を達成するため、本発明に係る光源装置は、中央部に開口部を有し基材部により保持されている凹面反射鏡と、中央部が発光部となされこの発光部の両端側の封止部の各先端部に一対の電極が設けられ一方の封止部を凹面反射鏡の開口部に挿通させた状態に設置される両端封止型の発光管と、基材部に設置され発光管の他方の封止部側の電極を保持しこの電極に導通される前方側保持部材と、基材部に設置され発光管の一方の封止部側の電極を保持しこの電極に導通される後方側保持部材とを備え、後方側保持部材は、基材部に対して、発光管の一方の封止部側の電極を保持する状態と、発光管の凹面反射鏡に対する進入及び退出の経路より退避してこの発光管の凹面反射鏡に対する進入及び退出を可能とする状態との間に亘って回動可能となっていることを特徴とするものである。
【００２０】
この光源装置においては、後方側保持部材が、発光管の一方の封止部側の電極を保持する状態と、発光管の凹面反射鏡に対する進入及び退出の経路より退避してこの発光管の凹面反射鏡に対する進入及び退出を可能とする状態との間に亘って回動可能となっているので、この後方側保持部材を回動させるだけで、発光管の交換を容易に行うことができる。
【発明の効果】
【００２１】
本発明に係る光源装置においては、後方側保持部材は、発光管の一方の封止部側の電極を保持する状態と、発光管の凹面反射鏡に対する進入及び退出の経路より退避してこの発光管の凹面反射鏡に対する進入及び退出を可能とする状態との間に亘って、回動可能となっている。そのため、この光源装置においては、後方側保持部材を回動させるだけで、発光管の交換を容易に行うことができる。
【００２２】
この光源装置は、特に、大型のプロジェクタや映写機等における光源装置のように、凹面反射鏡その他構成部品が大型化された光源装置として有用である。
【００２３】
すなわち、本発明は、凹面反射鏡等を保持する基材部を画像表示装置等から取り外すことなく、容易に発光管の交換ができるようになされた光源装置を提供することができるものである。
【発明を実施するための最良の形態】
【００２４】
以下、本発明を実施するための最良の形態について、図面を参照しながら詳細に説明する。
【００２５】
本発明に係る光源装置は、例えば、画像表示装置等において、空間光変調素子を照明するために使用されるものである。
【００２６】
図１は、本発明の実施形態に係る光源装置を用いて構成された画像表示装置の構成を示す平面図である。
【００２７】
本発明に係る光源装置を用いて構成された画像表示装置は、図１に示すように、本発明に係る光源装置からの照明光の照度を均一化させるインテグレータ光学系３０１と、光変調部３０２と、結像光学系である投射光学系３０３とを有して構成されている。
【００２８】
この画像表示装置においては、光源装置より発せられインテグレータ光学系３０１を経て光変調部３０２に至った照明光を、この光変調部３０２において空間光変調素子３０２Ａによって画像情報に基づいて空間変調し、このように空間変調された照明光を投射光学系３０３によってスクリーン３０４に向けて投射する。画像表示装置においては、投射光学系３０３より投射された照明光は、スクリーン３０４に投射され、このスクリーン３０４上に表示画像を結像させる。
【００２９】
図２は、本発明に係る光源装置の構成を示す断面図である。
【００３０】
図３は、本発明に係る光源装置の構成を示す平面図である。
【００３１】
この光源装置は、図２及び図３に示すように、基材部となるケーシング１内に、発光管であるランプ２が配置されて構成されている。このランプ２は、両端封止型のランプであり、高圧キセノンガス等を封入した発光部となるガラス封体２３内に一対の放電電極３，４が対向されて配置されている。これら放電電極３，４からは、両端側の封止部２１，２２に、給電用の電極２１ａ，２２ａが引き出されている。
【００３２】
このランプ２の放電電極３，４間で発生した光は、直接、または、凹面反射鏡５によって反射され、透明ガラスからなる照射窓７から放射される。なお、凹面反射鏡５により反射された光の出射方向の周囲部には、円環状の第２の凹面反射鏡６が配置されており、ランプ２から発せられ照射窓７に至る光路より外れた周辺の光をランプ２側に戻すようになっている。
【００３３】
ランプ２は、各凹面反射鏡５，６に対する所定の位置に、放電電極３，４間の発光点（アークスポット）が位置するように配置されている。すなわち、このランプ２は、その照明光の出射方向に対して後方側となる一方の封止部２１が、凹面反射鏡５の中央部分に形成された開口部５１に挿通されており、この一方の封止部２１側の電極２１ａが、ケーシング１上に設置された後方側保持部材８によって保持されている。
【００３４】
また、このランプ２の他方の封止部２２側の電極２２ａは、照射窓７の近傍の位置において、ケーシング１に固定された前方側保持部材９によって保持されている。
【００３５】
図４は、他方の封止部２２側の電極２２ａを保持する前方側保持部材９の構成を示す側面図である。
【００３６】
この前方側保持部材９は、図４に示すように、電極２２ａをリング状の部材の支持孔９ａに挿通させて支持しており、この電極２２ａを他方の封止部２２の軸方向に移動可能に支持している。すなわち、ランプ２は、一方の封止部２１側の電極２１ａをケーシング１に対して固定されて保持され、他方の封止部２２側の電極２２ａをケーシング１に対して移動可能となされて保持される。他方の封止部２２側の電極２２ａがケーシング１に対して移動可能となっていることにより、ランプ２の発する熱によってケーシング１に熱膨張が生じても、ランプ２に応力がかからないようになっている。
【００３７】
前方側保持部材９は、銅などの金属により形成されている。そして、電極２２ａには、図示していない給電線が結合されている。また、前方側保持部材９の幅広の平面は、凹面反射鏡５により反射された照明光の光軸に対して平行になるように配置されている。これは、反射鏡５，６の前方に保持部が存在しても、光が遮光される割合を少なくするためである。
【００３８】
図５は、一方の封止部２１側の電極２１ａを保持する後方側保持部材８の構成を示す側面図である。
【００３９】
後方側保持部材８は、図５に示すように、ケーシング１に対して、蝶番１０によって結合されている。そして、この後方側保持部材８には、電極保持部材８１が取付けられている。ランプ２の一方の封止部２１側の電極２１ａは、この電極保持部材８１によって保持され、ネジにより締め付け固定されている。
【００４０】
この光源装置において、ランプ２の交換時には、一方の封止部２１側の電極２１ａを電極保持部材８１に対して固定しているネジを緩め、この電極２１ａを電極保持部材８１より取り外す。そして、ランプ２を凹面反射鏡５の外側に引き出す際には、後方側保持部材８がじゃまとならないように、この後方側保持部材８を、蝶番１０を介して、ケーシング１に対して回動させる。すなわち、後方側保持部材８を後方に略々９０度倒すことにより、この後方側保持部材８は、ランプ２の凹面反射鏡５からの取り出し経路から退避し、このランプ２の取り出しが容易に行えるようにする。
【００４１】
このとき、ランプ２の一方側の封止部２２側の電極２２ａは、前述したように、前方側保持部材９の支持孔９ａに挿通された状態となっており、ネジ等により固定されていないので、この支持孔９ａから容易に取り外すことができる。
【００４２】
この光源装置に新たなランプ２を取付けるときには、まず、後方側保持部材８を後方側に略々９０度倒しておき、新たなランプ２を開口部５１より凹面反射鏡５の内部に貫通させ、他方の封止部２２側の電極２２ａを前方側保持部材９の支持孔９ａに挿通させる。次に、後方側保持部材８をケーシング１に対して垂直に起し、この後方側保持部材８の電極保持部材８１に電極２１ａを挿入し、ネジにより、締め付け固定する。そして、後方側保持部材８は、ケーシング１に対して動かないように、ネジ等でケーシング１に対して固定する。
【００４３】
次に、ランプの発光点（アークスポット）の位置を凹面反射鏡５の所定位置に合わせる方法について述べる。
【００４４】
前述の通り、ランプの発光点の位置は、ランプごとにバラツキがあるため、凹面反射鏡５の所定位置に対し、ランプごとに個別の位置合わせが必要である。
【００４５】
図６は、発光点の位置調整を行う機構を示す正面図である。
【００４６】
この調整機構において、発光点の位置のＸ軸方向の調整は、第１の調整板８２によって行われる。この第１の調整板８２は、後方側保持部材８に対し、図６中の横方向であるＸ方向に移動可能に取付けられている。後方側保持部材８には、ピニオンギヤ８３が取付けられており、第１の調整板８２に設けられたラックギヤ部８２ｄに噛合している。すなわち、このピニオンギヤ８３を回転させることにより、第１の調整板８２は、Ｘ軸方向に移動操作される。
【００４７】
なお、この第１の調整板８２は、長径方向をＸ軸方向となされた複数の長穴８２ａを有しており、これら長穴８２ａに、後方側保持部材８に取付けられたブッシュ８２ｂを挿通させることによって、この後方側保持部材８に取付けられている。
【００４８】
この調整機構において、発光点の位置のＹ軸方向の調整は、第２の調整板８４によって行われる。この第２の調整板８４は、第１の調整板８２に対し、図６中の縦方向であるＹ方向に移動可能に取付けられている。第１の調整板８２には、ピニオンギヤ８５が取付けられており、第２の調整板８４に設けられたラックギヤ部８４ｄに噛合している。すなわち、このピニオンギヤ８５を回転させることにより、第２の調整板８４は、Ｙ軸方向に移動操作される。
【００４９】
なお、この第２の調整板８４は、長径方向をＹ軸方向となされた複数の長孔８４ａを有しており、これら長孔８４ａに、第１の調整板８２に取付けられたブッシュ８４ｂを挿通させることによって、この第１の調整板８２に取付けられている。この第２の調整板８４は、第１の調整板８２がＸ軸方向に移動されるときには、この第１の調整板８２とともにＸ軸方向に移動される。
【００５０】
この調整機構において、発光点の位置のＺ軸方向の調整は、調整ネジ８６によって行われる。この調整ネジ８６は、電極保持部材８１に連結されており、この電極保持部材８１を、第２の調整板８４に対し、図６において紙面に垂直な方向であるＺ方向に移動させる。
【００５１】
図７は、発光点のＺ軸方向の位置調整を行う機構を示す側面図である。
【００５２】
電極保持部材８１には、図７に示すように、後方に向けて突出された突出部８１ａが設けられている。そして、この突出部８１ａの外周面部には、ネジ部８１ｂが設けられている。電極保持部材８１と後方側保持部材８との間には、圧縮バネ８８が介在して配置されている。この電極保持部材８１は、圧縮バネ８８内を通し、さらに、後方側保持部材８、第１の調整板８２に設けられた透孔８２ｃ及び第２の調整板８４に設けられた透孔８４ｃを介して、この後方側保持部材８の後方に突出部８１ａを突出させている。そして、この突出部８１ａのネジ部８１ｂには、調整ネジ８６が螺合している。この調整ネジ８６は、後方側より、手動で廻すことが可能となされている。
【００５３】
そして、電極保持部材８１は、後方側保持部材８に対して、軸回りに回転しないようになっている。したがって、調整ネジ８６が回転されると、この調整ネジ８６に対して、突出部８１ａが進退され、電極保持部材８１がＺ軸方向に移動操作される。
【００５４】
調整ネジ８６は、第２の調整板８４の後面部に当接するが、この調整ネジ８６の第２の調整板８４の丸孔８４ｃ（詳細は後述する）に当接する前端部は、球面部８６ａとなされている。この光源装置における発光点の位置調整は、Ｘ，Ｙ２方向については、他方の封止部２２側の電極２２ａを支持する支持孔９ａを支点として行われるが、このとき、調整ネジ８６の第２の調整板８４の丸孔８４ｃに当接する前端部が球面部８６ａとなっていることにより、Ｘ，Ｙ２方向についての調整が円滑に行われる。
【００５５】
図８は、発光点のＸ軸方向の位置調整を行う機構をさらに詳細に示す正面図である。
【００５６】
図９は、発光点のＸ軸方向の位置調整を行う機構をさらに詳細に示す側面図である。
【００５７】
図１０は、ラックギヤ８２ｄ及びピニオンギヤ８３の構成を示す正面図である。
【００５８】
第１の調整板８２は、さらに詳細には、例えば、板金により制作されており、図８に示すように、中心部には、異型孔８２ｃが設けられ、外縁部の一部にはラックギヤ８２ｄが設けられている。このラックギヤ８２ｄは、図９及び図１０に示すように、後方側保持部材８に取付けられたピニオンギヤ８３と歯合する。ピニオンギヤ８３が回転されると、第１の調整板８２は、Ｘ軸方向に移動され、発光点の位置調整がなされる。長円孔８２ａは、ラックギヤ８２ｄ及びピニオンギヤ８３による移動のガイド孔で、第１の調整板８２に設けられている。この長円孔８２ａには、後方側保持部材８に取付けられ内接するブッシュ（あるいは、スリーブ）８２ｂで案内されている。
【００５９】
なお、ピニオンギヤ８３は、光源装置の後方側より手動で回転させることができるが、モーター等によって駆動するようにしてもよい。
【００６０】
図１１は、発光点のＹ軸方向の位置調整を行う機構をさらに詳細に示す正面図である。
【００６１】
図１２は、発光点のＹ軸方向の位置調整を行う機構をさらに詳細に示す側面図である。
【００６２】
第２の調整板８４は、さらに詳細には、例えば、板金により制作されており、図１１に示すように、中心部には、調整ネジ８６の球面部８６ａと当接するための丸孔８４ｃが設けられている。第２の調整板８４の外縁部の一部には、ラックギヤ８４ｄが設けられている。このラックギヤ８４ｄは、図１２に示すように、第１の調整板８２に取付けられたピニオンギヤ８５と歯合する。ピニオンギヤ８５が回転されると、第２の調整板８４は、Ｙ軸方向に移動され、発光点の位置調整がなされる。長孔８４ａは、ラックギヤ８４ｄ及びピニオンギヤ８５による移動のガイド孔で、第２の調整板８４に設けられている。この長円孔８４ａには、第１の調整板８２に取付けられ内接するブッシュ（あるいは、スリーブ）８４ｂで案内されている。
【００６３】
なお、ピニオンギヤ８５は、光源装置の後方側より手動で回転させることができるが、モーター等によって駆動するようにしてもよい。
【００６４】
図１３は、ランプ２の他方の封止部２２側の電極２２ａを保持する前方側保持部材９の構成を示す正面図である。
【００６５】
前方側保持部材９は、図１３に示すように、取付け面部９ｔとこの面部に対して直角に折り曲げられたランプ支持部９ｈとなる垂直部分とからなる。取付け面部９ｔには、絶縁材料で形成されたベース１１が取付けられている。このベース１１には、前方側保持部材９及び金具１２を取付けるための図示しないネジ孔が設けられている。金具１２は、ベース１１をランプケーシング１に固定するための部材である。前方側保持部材９及び金具１２のベース１１との取付けは、図示しないネジにより行う。
【００６６】
この前方側保持部材９に設けられた長円孔９ｂは、ランプ２交換時において、ランプ２の発光点位置のばらつきを吸収し、位置精度を高めるために、ランプ２の電極２１ａのＸ，Ｙ位置調整装置と協働してＹ方向の位置を調整できるようになっている。
【００６７】
ベース１１をケーシング１に取付けるための金具１２には、ランプ交換時において、ランプ２の発光点位置のばらつきを吸収し、位置精度を高めるために、長円孔１２ａを有しており、ランプ２の電極２１ａのＸ，Ｙ位置調整装置と協働してＸ方向の位置を調整できるようになっている。
【００６８】
前方側保持部材９の上部には、ランプ２の電極２２ａの外径寸法より所定寸法大きい内径を持った支持孔９ａが設けてある。つまり、ランプ２の電極２２ａは、前方側保持部材９によって支持されているものの、支持孔９ａと電極２２ａとは緩貫通篏合となっているため、ケーシング１に対しては、分離独立した状態になっている。したがって、ランプ２が点灯することにより、ランプ２自体が膨張し、さらに、ケーシング１が高温となされて熱膨張によって伸びても、ランプ２とケーシング１とが互いに影響せずに、それぞれ独立して熱膨張によって伸縮することができる。すなわち、ランプ２及びケーシング１のそれぞれの膨張率の差に起因する応カが吸収。
【００６９】
前述のように、この光源装置においては、ランプ２の一方の封止部２１側の電極２１ａを固定保持している電極保持部材８１は、調整ネジ８６に軸方向の移動が可能なように連結されている。そして、この調整ネジ８６は、第２の調整板８４に軸と直交する方向の移動が規制されて連結されている。さらに、第２の調整板８４は、第１の調整板８２に軸と直交する方向の移動が可能なように結合されている。そして第１の調整板８２は、後方側保持部材８に対して軸を直交する方向に移動が可能なように連結されている。したがって、ランプ２の発光点の位置は、凹面反射鏡５に対して、Ｘ，Ｙ，Ｚ３方向に、それぞれ独立に動かすことができる。
【００７０】
そして、この調整は、手動調整の場合には、光源装置の後方側一方向から可能であり、極めて良好な作業性が確保されている。
【００７１】
また、これら第１及び第２の調整板８２，８４と調整ネジ８６とをそれぞれモータによって駆動することができ、さらに、これらモータの制御をランプ２の発光点の検出結果に応じた自動制御とすることにより、ランプ２の発光点の位置のＸ，Ｙ，Ｚ３方向についての調整を自動調整とすることができる。
【図面の簡単な説明】
【００７２】
【図１】本発明の実施形態に係る光源装置を用いて構成された画像表示装置の構成を示す平面図である。
【図２】本発明に係る光源装置の構成を示す断面図である。
【図３】前記光源装置の構成を示す平面図である。
【図４】前記光源装置において、発光管の他方の封止部側の電極を保持する後方側保持部材の構成を示す側面図である。
【図５】前記光源装置において、発光管の一方の封止部側の電極を保持する後方側保持部材の構成を示す側面図である。
【図６】前記光源装置において、発光点の位置調整を行う機構の正面図である。
【図７】前記光源装置において、発光点のＺ軸方向の位置調整を行う機構を示す側面図である。
【図８】前記光源装置において、発光点のＸ軸方向の位置調整を行う機構をさらに詳細に示す正面図である。
【図９】前記光源装置において、発光点のＸ軸方向の位置調整を行う機構をさらに詳細に示す側面図である。
【図１０】前記光源装置において、ラックギヤ及びピニオンギヤの構成を示す正面図である。
【図１１】前記光源装置において、発光点のＹ軸方向の位置調整を行う機構をさらに詳細に示す正面図である。
【図１２】前記光源装置において、発光点のＹ軸方向の位置調整を行う機構をさらに詳細に示す側面図である。
【図１３】前記光源装置において、ランプの他方の封止部側の電極を保持する前方側保持部材の構成を示す正面図である。
【図１４】従来の光源装置の構成を示す断面図である。
【図１５】従来の光学部品の光軸調整装置の構成を示す正面図である。
【符号の説明】
【００７３】
１    ケーシング
２    ランプ
３    放電電極
４    放電電極
５    凹面反射鏡
６    第２の凹面反射鏡
７    照射窓
８    後方側支持部材
９    前方側支持部材
１０    蝶番
２１    封止部
２１ａ  電極
２２    封止部
２２ａ  電極
【図１】
2006019078.tif 000003
【図２】
2006019078.tif 000004
【図３】
2006019078.tif 000005
【図４】
2006019078.tif 000006
【図５】
2006019078.tif 000007
【図６】
2006019078.tif 000008
【図７】
2006019078.tif 000009
【図８】
2006019078.tif 000010
【図９】
2006019078.tif 000011
【図１０】
2006019078.tif 000012
【図１１】
2006019078.tif 000013
【図１２】
2006019078.tif 000014
【図１３】
2006019078.tif 000015
【図１４】
2006019078.tif 000016
【図１５】
2006019078.tif 000017